(57)【特許請求の範囲】
【請求項１】
内周に螺旋手段が設けられかつ外側に係合手段を備えた中軸と、この中軸の前部が内部に位置しかつ回転可能に設けられた先軸と、この先軸と着脱可能でかつ上記中軸の外側に設けられた係合手段と係合する手段が内側に設けられた後軸と、前部に棒状物受け部を備えると共に後部が中軸内の上記螺旋手段と係合して長手方向に移動可能であるが先軸に関して回転不能に設けられたスライダとから構成されてなり、かつ先軸の側壁に窓孔が形成されてあり、この窓孔に係止される係止部が上記中軸の外壁に設けられてなることを特徴とする回転式棒状物繰り出し具。
【請求項２】
前記スライダの棒状物受け部は対向した棒状物保持片からなり、これらの棒状物保持片には先鋭部が形成されてなる請求項１記載の回転式棒状物繰り出し具。
【請求項３】
前記スライダの後端部にはスライダが最上位および最下位において空回りするための割り溝が形成されてなる請求項１記載の回転式棒状物繰り出し具。
【請求項４】
前記棒状物がスライダに設けられた緩衝体によって受けられてなる請求項１記載の回転式棒状物繰り出し具。
【請求項５】
前記緩衝体がスライダの受け部内に密着された有底の筒状体からなる請求項４記載の回転式棒状物繰り出し具。
【請求項６】
前記緩衝体がスライダの軸本体と別体に形成された弾性物質からなる受け部である請求項４記載の回転式棒状物繰り出し具。
【請求項７】
前記後軸が共通軸筒を形成し、かつこの共通軸筒内にスライダを含む内部機構をそれぞれ独立して背合わせ方向に配し、棒状物をそれぞれ独立して上記共通軸筒から突出可能としてなる請求項１から請求項６のいずれか記載の回転式棒状物繰り出し具。
【請求項８】
前記共通軸筒の中央部内側において長手方向に複数のリブを形成してなる請求項７記載の回転式棒状物繰り出し具。
【請求項９】
前記中軸の外側に設けられた係合手段が係合突部であり、かつ前記後軸の内側に設けられた手段が長手方向に等間隔に設けられた係合リブである請求項１載の回転式棒状物繰り出し具。
【発明の詳細な説明】
【０００１】
【発明の属する技術分野】
この発明は、口紅、アイブロー、アイライナー等の棒状化粧品、棒状消しゴム、鉛筆用色芯等の棒状物を回転操作によって繰り出すための回転式棒状物繰り出し具に関する。
【０００２】
【従来の技術】
従来、この種の回転式棒状物繰り出し具としては、例えば特開平１０−７７０７５号の公報に記載のようなものが提案されている。即ち、この従来例によると、先軸と相互に回転可能である後軸とからなる回転式棒状物繰り出し具の棒状物保持部分をカセット式構成として化粧品等の棒状物を直接手で触れなくとも棒状物の交換を可能としたものである。
【０００３】
また、材質、色、太さ等の異なったアイライナー等の異なった棒状物を共通軸筒内に一体的に収納した内部繰り出し機構によって交互に反対方向に繰り出す、いわゆるツインタイプの回転式棒状物繰り出し具が提案されている。
【０００４】
【発明が解決しようとする課題】
しかしながら、このような従来の回転式棒状物繰り出し具は、主に断面真円の棒状物を用いており、かつ繰り出し操作によってスライダが先軸内側の螺旋溝に沿って回転しながら前進するので棒状物が回転しながら繰り出されていた。即ち、この従来例では後軸と一体的に回転する中軸のスリットを介して後軸と相互に回転可能な先軸内の螺旋溝にスライダの保持部が係合されているので先軸または後軸が回転操作されるとスライダは先軸に関して回転しながら前進される様に構成されている。
【０００５】
特に、アイライナー等の化粧品では、細線を描くために断面楕円形の棒状物を用いることが必要とされる。ところが、断面楕円形の棒状物を従来のものに用いると、棒状物が回転しながら繰り出される際に棒状物の断面に方向性があるので棒状物が先軸の内壁等によって損傷されるおそれがあった。また、断面楕円形の棒状物を用いると先軸等の内壁とのクリアランスによりガタツキが大きく、過って落とした場合に収納された棒状物を折損したり、またスライダの移動範囲に必要な回転操作を越えて操作を行った時には、無理な回転操作によって部品を破損するおそれがあった。
【０００６】
そこで、この発明はかかるカセット式の機能を有するにもかかわらず、構成部品点数を少くして、組立を容易とすると共に繰り出し操作の際に棒状物が回転せずに前進するので細線を引くに適した断面楕円形の棒状物を用いても操作性に問題がなく、かつクリアランスを極めて少なくして落下による棒状物の折損をなくし、かつ限界を越えた無理な回転操作によっても部品が破損されることのない繰り出し操作性の良好な回転式棒状物繰り出し具を提供することを目的とする。
【０００７】
さらに、従来の回転式棒状物繰り出し具において、特に細芯を装着した場合には、落下等による衝撃によって細芯が挟持された受け部において折損し易いとう問題があった。
【０００８】
またさらに、従来のツインタイプの回転式棒状物繰り出し具は、内部繰り出し機構が独立していなかったので一方の棒状物を繰り出そうとすると他方の棒状物が連動して一方の棒状物の繰り出し分だけ引っ込んでしまうので、両方の棒状物を両方とも繰り出し状態で使用可能とすることができなかった。
【０００９】
そこでこの発明は、上記従来の欠点を解消したものであって、スライダの受け部に緩衝機能を付与することによって、落下等による衝撃によっても細芯などの棒状物がが折損するおそれがない回転式棒状物繰り出し具を提供することを目的とするものである。
【００１０】
さらに、この発明はツインタイプの回転式棒状物繰り出し具において、簡単な構造で夫々内部繰り出し機構を独立せしめて同時に２本の棒状物を繰り出し状態において使用可能とした回転式棒状物繰り出し具を提供することを目的とする。
【００１１】
【課題を解決するための手段】
この発明に係る回転式棒状物繰り出し具は、内周に螺旋手段が設けられかつ外側に係合手段を備えた中軸と、この中軸の前部が内部に位置しかつ回転可能に設けられた先軸と、この先軸と着脱可能でかつ上記中軸の外側に設けられた係合手段と係合する手段が内側に設けられた後軸と、前部に棒状物受け部を備えると共に後部が中軸内の上記螺旋手段と係合して長手方向に移動可能であるが先軸に関して回転不能に設けられたスライダとから構成されてなり、かつ先軸の側壁に窓孔が形成されてあり、この窓孔に係止される係止部が上記中軸の外壁に設けられてなる。
【００１２】
【発明の実施の形態】
以下、添付図面を参照してこの発明の実施の形態による回転式棒状物繰り出し具を詳細に説明する。
図は、この発明の実施の形態によるアイライナー等の棒状化粧品を回転操作によって直進的に繰り出すための棒状物繰り出し具、特に断面楕円形の棒状物を用いる例を示している。図１において、この回転式棒状物繰り出し具は外装部材として先端に棒状物が繰り出される開口１ａを有する先軸１と、この先軸１に関して回転可能に設けられた有底の後軸２とから構成され、全体としてペンシル形状に形成されている。
【００１３】
そして、図２に明示するように、先軸１の前部は先端の開口１ａに向かって漸次径が小さく形成されてなり、開口１ａからやや離間した内周に案内用の傾斜部１ｂが形成されている。他方、先軸１後部の外側には後軸２と回転可能で着脱容易とするための一対の嵌合凸部１ｃ（図３）が形成されている。従って、この嵌合凸部１ｃによって先軸１は後軸２と部分的に嵌合しているために相互に回転し易くかつ後軸２との着脱が容易である。
【００１４】
また、この嵌合凸部１ｃからやや離間した後方位置には後述するＯリング５が取り付けられる環状溝１ｄが形成されている。さらに、環状溝１ｄから離間した後端近傍には組立を容易とするための窓孔１ｅ（図４）が形成されている。なお、先軸１の前部内側には後述するスライダ４の受け部４ａの係合割り溝４ｂと係合してスライダ４の回転を防止するためのガイドリブ１ｆ（図３）が長手方向に設けられている。
【００１５】
次に、この先軸１の後部が回転可能に組み込まれる後軸２について説明する。後軸２の前部内側には長手方向に６本の係合リブ２ａ（図５）が長手方向に等間隔で形成されており、強度的に許容されるならば後述する中軸３の組込みの観点から出来るだけ細い方が良い。
【００１６】
また、図６〜図８は筒状の中軸３を示し、この中軸３は後軸２の先部内側に位置し、後軸２と一体となって回転するために中軸３の後端部が後軸２と係合して設けられている。即ち、この中軸３の内周には螺旋手段として螺旋溝３ａが形成されている。そして、この中軸３の後端部外側には上述した後軸２の係合リブ２ａと係合して回り止めとして作用する一対の係合突部３ｂが設けられている。なお、この係合突部３ｂは、図６に示すように端部に先鋭部３ｂｂが形成されている。そして、この先鋭部３ｂｂは中軸３が後軸２に組み込まれる際に係合突部３ｂが後軸２の６本の係合リブ２ａの間に挿入し易いように誘導する作用を有する。
【００１７】
さらに、係合突部３ｂの後部と一体に環状突起３ｃが設けられており、この環状突起３ｃから所定の間隔を置いて環状係止部３ｄが設けられ、かつこの環状係止部３ｄの前面には前下がりの斜面部３ｄｄが形成されている。そして、これら環状突起３ｃと環状係止部３ｄは図８に示すように先軸１に形成された窓孔１ｅの後方部分を挟持するように組み込まれる。そして、一旦組み込まれると先軸１と中軸３とは窓孔１ｅの後端縁に環状係止部３ｄが係止されるので先軸１を引っ張っても中軸３から抜けることがない。
【００１８】
また、上記中軸３内には断面楕円形の棒状物を保持して中軸３内を摺動するスライダ４が設けられている。このスライダ４について図９〜図１１を用いて詳しく述べると、スライダ４の前部には棒状物を支持する大径の受け部４ａが設けられている。さらに、この受け部４ａの外壁には一対の係合割り溝４ｂが夫々形成されており、それらの係合割り溝４ｂの間には一対の棒状物保持片４ｃが形成されている。
【００１９】
そこで、スライダ４が中軸３と共に先軸１内にセットされると、係合割り溝４ｂは先軸１のガイドリブ１ｆに係合してスライダ４の回転を阻止して長手方向のみの移動を可能とする。なお、棒状物保持片４ｃには、先端に向かって次第に細くなった先鋭部４ｃｃが夫々設けられている。そこで、スライダ４が先軸１内にセットされる際に、この先鋭部４ｃｃによって係合割り溝４ｂが先軸１のガイドリブ１ｆに誘導されて容易に係合せしめられる。また、棒状物保持片４ｃに棒状物が装填された状態で、側方への衝撃力が加えられた場合に、この先鋭部４ｃｃのために棒状物保持部にスペースが形成されているので横方向の力に対する逃げが働いて棒状物の折損が防止される利点もある。
【００２０】
また、スライダ４の後端部には中軸３の螺旋溝３ａの傾きに合わせて形成された一対の係合ネジ片４ｄが係合部４ｅに一体に設けられている。そこで、スライダ４が中軸３にセットされて先軸１または後軸２が回転されると、係合ネジ片４ｄは中軸３の螺旋溝３ａ内に係合してスライダ４を回転して前進するようにして作用する。しかしながら、スライダ４の受け部４ａの係合割り溝４ｂが先軸１内のガイドリブ１ｆに係合されて回転が阻止されているのでスライダ４の後部は中軸３内を回転せずに上昇すなわち前進する。
【００２１】
なお、このスライダの係合部４ｅには後端から対向して一対の割り溝４ｆが形成されており、この割り溝４ｆはスライダ４が最上位もしくは最下位にある時さらに無理な回転がなされた場合にこの割り溝４ｆが内方に撓んでスライダ４が空回りする利点がある。
【００２２】
また、図１において符号５は、ゴム等の弾性材からなるＯリングであって、先軸１の環状溝１ｄにセットされて、先軸１と後軸２との組み込みを容易にすると共に相互の回転をスムーズにする。
【００２３】
上記実施の形態による回転式棒状物繰り出し具の構成をより理解するために、その組立手順を述べると次の通りである。即ち、まず中軸３にスライダ４を組み入れて螺旋溝３ａにネジ片４ｄを係合せしめる。次にセットされた中軸３とスライダ４とのアセンブリを先軸１に挿入する。即ち、中軸の係合突部３ｂ端部の先鋭部３ｂｂが後軸２に組み込まれる際に係合突部３ｂが後軸２の６本の係合リブ２ａの間に挿入し易いように誘導する作用を有する。
【００２４】
さらに中軸３の環状突起３ｃと環状係止部３ｄは先軸１に形成された窓孔１ｅの後方部分を挟持するように組み込まれる。そして、一旦組み込まれると先軸１と中軸３とは窓孔１ｅの後端縁に環状係止部３ｄが係止されるので先軸１を引っ張っても中軸３から抜けることがない。そしてスライダ４の受け部４ａの係合割り溝４ｂを先軸１内側のガイドリブ１ｆに係合させながら中軸３とスライダ４とを完全に押し込むと、係合構造によって噛み合い共に回動するようになる。
【００２５】
その後、先軸１の環状溝１ｄにＯリング５を組付けて後軸２を先軸１に被せながら先軸１と嵌合して組立を完了する。なお、この場合の棒状物の装着は、工場内における作業であってユーザーがなすものでないので衛生上問題がない。
【００２６】
以下、この発明の上記実施の形態による回転式棒状物繰し出し具の動作について説明する。まず、使用に際し棒状物が先軸１内に収納された状態で後軸２を持って先軸１を回転する。すると、中軸３は後軸２に対して係合リブ２ａと係合突部３ｂとの係合により回転がロックされているので共に回転し、スライダ４のネジ片４ｄが中軸３の螺旋溝３ａに案内されると共にスライダ４の受け部４ａの割り溝４ｂが先軸１の内側に形成されたガイドリブ１ｆに係合しているので、このガイドリブ１ｆに規制され前進せしめられる。その結果、スライダ４に保持された棒状物が先軸１先端の開口１ａから突出されて使用可能となる。
【００２７】
なお、スライダ４は、後端部に割り溝４ｆが形成されているので最先端迄移動すると、棒状物が非常に摩耗するか又は過って後軸２に関して先軸１を回転せしめ過ぎてもスライダ４は、空回りして必要以上に前進されることはない。なお、使用後は上記と逆の方向に先軸１を回転すると、スライダ４に保持された棒状物を先軸１内に容易に収納することが出来る。
【００２８】
また、使用による摩耗のため棒状物が使用不能となった時には、先軸１、中軸３及び残留棒状物が取り付けられたスライダ４は、全体がユニット化されているので、これら全体を後軸２から取り外して新しい棒状物のカセットを前方から後軸２に装填すればよい。
【００２９】
即ち、先軸１と後軸２を夫々異なった手で持って異なった方向に引っ張ると、先軸１と後軸２との嵌合手段を構成する嵌合凸部１ｃと嵌合凹部との嵌合が外れる。なお、前記先軸１の側壁に窓孔１が形成されてあり、この窓孔１が係止される環状係止部３ｄが前記中軸３の外壁に設けられてなる。従って、上記のように先軸１を引っ張っても先軸１が中軸３から外れることがない。その結果、後軸２以外の棒状物保持機構、即ち先軸１、中軸３及びスライダ４は棒状物共々全てカセットとして一体的に取り外すことが出来る。従ってこの場合、特に化粧品等の棒状物に直接に指で触れなくても新しいものと交換することが出来る利点がある。
【００３０】
次に、図１２〜図１４は、この発明の他の実施の形態による回転式棒状物繰り出し具のスライダを示し、特に細芯を装填する場合においても、落下等の衝撃によって芯が折損しないように受け部４ａに衝撃吸収のための工夫がなされている例を示す。
【００３１】
即ち、図において受け部４ａ内に図１４に示すような弾性物質からなる有底の筒状緩衝体６が治具によって密着された状態で装着されている。そこで、特に細芯を装着した場合において、落下等による衝撃が加えられると細芯の基部と受け部４ａとの間にゴム等の弾性物質からなる筒状緩衝体６が介在しているので衝撃が吸収されて細芯の折損が防止される。なお、この場合においては棒状体の基部は受け部４ａ内に設けられた緩衝体６の肉厚を考慮して小径としておくと良い。
【００３２】
また、図１５は、この発明のさらに他の実施の形態による回転式棒状物繰り出し具の組立て前のスライダを示し、この場合受け部４ａと軸本体４ｇとは別部品で成形され、かつ受け部４ａは緩衝体として作用するために熱可塑性エラストマー等の弾性物質から成形されてなる。一方、軸本体４ｇの方は例えばＰＯＭ（アセタール樹脂）等の合成樹脂から成形されてなる。
【００３３】
さらに、これら受け部４ａと軸本体４ｇとは組み立てられてスライダ４とされるために受け部４ａ後方の取り付け部に嵌合用の軸方向の挿入孔４ａａが形成されている。これに対して、軸本体４ｇ先端の小径部４ｇｇの外周にはアンダーカット部４ｈが形成されており、かつ先端角部には面取り部４ｉが形成されている。なお、上記軸体４ｇの面取り部４ｉは受け部４ａの挿入孔４ａａへの挿入に際して誘導作用を有し、かつアンダーカット部４ｈは挿入後の受け部４ａと軸本体４ｇとの一体化を確実にするための抜け止め機能を有している。
【００３４】
図１６は、さらに他の実施の形態によるツインタイプの回転式棒状物繰り出し具を示す一部を省略した部分縦断面図である。この場合、一方の内部繰り出し機構（図中上部）には第一の棒状体として例えば黒色のアイライナが装填されており、他方の繰り出し機構（図中下部）には第二の棒状体として例えば茶色のアイライナが装填されている。
【００３５】
なお、この場合の軸筒は共通なものとし、図１７に示すような共通軸筒１２が用いられる。即ち、軸筒１２は図１８からも明らかなように内部中央部に長手方向に６本のリブ１２ａがそれぞれ設けられている。即ち、この複数のリブ１２ａには、中軸３、１３の後端部がそれぞれ嵌合して回転がロックされている。そして、両開口端の近傍には環状の嵌合溝１２ｂがそれぞれ形成されている。
【００３６】
上記の実施の形態の回転式棒状物繰り出し具を使用する場合について説明する。まず、図中上部の先軸１を共通軸筒１２に関して回転せしめるとスライダ４の受け部４ａに挟持された第一の棒状物が中軸３によって回り止めがされた状態で上昇して第一の棒状物を突出せしめる。この時、第二の棒状物は第一の棒状物の繰り出し機構とは別個独立しているので、第二の棒状物は全く移動しない。
【００３７】
なお、第一の棒状物を突出した状態で第二の棒状物を突出させたければ、図中下部の他方の先軸１１を共通軸筒１２に関して回転せしめれば中軸１３によって回り止めがされた状態スライダ１４が前進して第二の棒状物がを突出させられる。なお、この場合においても、両繰り出し機構は夫々独立しているのでスライダ１４の受け部１４ａに挟持された第二の棒状物を突出させてもスライダ４の受け部４ａに挟持された第一の棒状物が連動しては退没することはない。
【００３８】
【発明の効果】
この発明の構成は上記したとおりであるので、回転操作にもかかわらず棒状物が装填されたスライダが回転せずに先軸内を直進するので断面楕円形状の棒状物に好適である。また、棒状物保持部分を棒状物を装填したカセット式構成として、化粧品等の棒状物を直接指で触れなくても棒状物の交換を可能とすると共に、断面楕円形の棒状物を用いた場合にクリアランスを少なくしてガタツキをなくすことができるので、落下による棒状物の折損の恐れをなくして繰り出し操作性を良好とする等の効果を奏する。
【００３９】
さらに、この発明によれば、組立を容易としかつ限界を越えた無理な回転操作によってもスライダが空回りすることによって部品が破損されることのないという効果を奏する。
【００４０】
また、この発明によれば、棒状物がスライダに設けられた緩衝体によって受けられてなるので、スライダの受け部に装填した棒状物が特に細芯であっても、落下等による衝撃がこの緩衝体によって吸収されるので棒状物の折損が防止されるという効果を奏する。
【００４１】
さらに、この発明によれば、ツインタイプの回転式棒状物繰り出し具において、簡単な構造で夫々内部繰り出し機構を独立せしめたので同時に２本の棒状物を繰り出し状態において使用可能とする効果を奏する。
【図面の簡単な説明】
【図１】この発明の実施の形態による回転式棒状物繰り出し具の縦断面図である。
【図２】図１の先軸のみの拡大縦断面図である。
【図３】図２の先軸のＢ−Ｂ線に沿った拡大断面図である。
【図４】図２の先軸のＣ−Ｃ線に沿った拡大断面図である。
【図５】図１のＡ−Ａ線に沿った拡大断面図である。
【図６】図１の中軸の正面図である。
【図７】図６の中軸の縦断面図である。
【図８】図１の要部拡大縦断面図である。
【図９】図１のスライダのみの正面図である。
【図１０】図９のスライダの先端部分の部分拡大図である。
【図１１】図９のスライダのＤ−Ｄ線に沿った拡大縦断面図である。
【図１２】この発明の他の実施の形態による回転式棒状物繰り出し具のスライダの正面図である。
【図１３】図１２のＥ−Ｅ線に沿った拡大断面図である。
【図１４】図１２の緩衝体のみを示す斜視図である。
【図１５】この発明のさらに他の実施の形態による回転式棒状物繰り出し具のスライダの分解正面図である。
【図１６】この発明のさらに他の実施の形態によるツインタイプの回転式棒状物繰り出し具の一部を省略した部分縦断面図である。
【図１７】図１６の軸筒のみの縦断面図である。
【図１８】図１７のＦ−Ｆ線に沿う拡大横断面図である。
【符号の説明】
１    先軸
１ａ  開口
１ｂ  傾斜部
１ｃ  係合凸部
１ｄ  環状溝
１ｅ  窓孔
１ｆ  ガイドリブ
２    後軸
２ａ  係合リブ（係合手段）
３    中軸
３ａ  螺旋溝（螺旋手段）
３ｂ  係合突部（係合手段）
３ｃ  環状突起
３ｄ  環状係止部
４    スライダ
４ａ  受け部
４ｂ  係合割り溝
４ｃ  保持片
４ｄ  係合ネジ片
４ｅ  係合部
４ｆ  割り溝
５    Ｏリング
６    緩衝体
１２  共通軸筒
【図１】
0003560842.tif 000002
【図２】
0003560842.tif 000003
【図３】
0003560842.tif 000004
【図４】
0003560842.tif 000005
【図５】
0003560842.tif 000006
【図６】
0003560842.tif 000007
【図７】
0003560842.tif 000008
【図８】
0003560842.tif 000009
【図９】
0003560842.tif 000010
【図１０】
0003560842.tif 000011
【図１１】
0003560842.tif 000012
【図１２】
0003560842.tif 000013
【図１３】
0003560842.tif 000014
【図１４】
0003560842.tif 000015
【図１５】
0003560842.tif 000016
【図１６】
0003560842.tif 000017
【図１７】
0003560842.tif 000018
【図１８】
0003560842.tif 000019